(57)【特許請求の範囲】
【請求項１】
ヒンジ部を介して連絡された、各々の長さ及び幅が異ならしめてある第一と第二の片体を有し、その一方の片体に、内部に掛合爪を備えた筒状の受穴を形成し、他方の片体には前記した受穴に挿し込まれ、掛合爪と掛合する掛合部を有する挿し込み部を、透孔の内縁と破断用連結部で一体的に連結して備え、前記した透孔の周域にガード用の立壁を備えた封緘部材において、前記したガード用の立壁（リブ）は透孔を囲むようにし、ヒンジ部方向を開放した半円形をしたものとしたことを特徴とする封緘部材。
【請求項２】
前記した係合爪は受穴の内側で９０度ピッチで形成され、その先端は受穴の内面中程に位置させ、徐々に先端間隔を小さく形成し、隣接する掛合爪間にはスリットが形成され、このスリットには、挿し込み部の補強リブが嵌合される構成としてあることを特徴とする請求項１に記載の封緘部材。
【請求項３】
前記した第一の片体は、第二の片体と比して幅広で長尺のものとし、この第一の片体に挿し込み部が備えられ、前記受穴は第二の片体に形成されていることを特徴とする請求項１または２に記載の封緘部材。
【請求項４】
全体をプラスチックあるいは金属で一体成形してあることを特徴とする請求項１から３のうち１項に記載の封緘部材。
【請求項５】
単品ごとに個体を特定する通しナンバーやＩＤナンバーがプリントあるいは刻設されている、あるいはＩＣタグが埋設されていることを特徴とする請求項１から４のうち１項に記載の封緘部材。
【発明の詳細な説明】
【技術分野】
【０００１】
本発明は封緘部材、特に一度ロックを解除すると、その痕跡が目視で明瞭に把握することができ、再使用は絶対に不可能とし、現金輸送バッグやその他定められた場所や時間外での開封を未然に防止するセキュリティシステムの一環として使用される封緘部材に関する。
【背景技術】
【０００２】
従来、セキュリティ用の封緘ロックには錠を使用するのが一般的となっている。この錠は開けるための鍵ないしは必要な数字の組合せ等の情報が必要とはなるが、この鍵を不正に入手ないしは情報を取得した者がいれば、一旦ロックを解除し、元の状態に復元させておくことも可能で、現金を引き抜かれたり、メモリーの内容を操作されてもわからない状況が生じてしまう。
【０００３】
また、脆弱なシール等を封緘の一部に使用して一度開封されると解るようにする方法もあるが、このシールも偽造される可能性があり、完全な安全性は得られないものとなっている。
【先行技術文献】
【特許文献】
【０００４】
出願人は本願発明に関し、先行する技術文献を調査したが、格別に本願発明と関連し、類似すると思われる文献は発見できなかった。
【発明の概要】
【発明が解決しようとする課題】
【０００５】
本発明が解決しようとする問題点は、従来、一度開封されたらその痕跡が明確で再使用は不可能とし、しかも開封（ロック解除）に専用の鍵や情報は不要とし、操作も簡便で使用勝手も良好となる、特に、セキュリティシステムの一環を担うことのできる封緘部材は存在していなかったという点である。
【課題を解決するための手段】
【０００６】
上記した問題点を解決するために、本発明に係る封緘部材は、ヒンジ部を介して連絡された、各々の長さ及び幅が異ならしめてある第一と第二の片体を有し、その一方の片体に、内部に掛合爪を備えた筒状の受穴を形成し、他方の片体には前記した受穴に挿し込まれ、掛合爪と掛合する掛合部を有する挿し込み部を、透孔の内縁と破断用連結部で一体的に連結して備え、前記した透孔の周域にガード用の立壁を備えた封緘部材において、前記したガード用の立壁（リブ）は透孔を囲むようにし、ヒンジ部方向を開放した半円形をしたものとしたことを特徴としている。
【０００７】
また、本発明に係る封緘部材は、前記した係合爪は受穴の内側で９０度ピッチで形成され、その先端は受穴の内面中程に位置させ、徐々に先端間隔を小さく形成し、隣接する掛合爪間にはスリットが形成され、このスリットには、挿し込み部の補強リブが嵌合される構成としてあることを特徴としている。
【０００８】
さらに、本発明に係る封緘部材は、前記した第一の片体は、第二の片体と比して幅広で長尺のものとし、この第一の片体に挿し込み部が備えられ、前記受穴は第二の片体に形成されていることを特徴とし、全体をプラスチックあるいは金属で一体成形してあることを特徴とし、単品ごとに個体を特定する通しナンバーやＩＤナンバーがプリントあるいは刻設されている、あるいはＩＣタグが埋設されていることを特徴としている。
【発明の効果】
【０００９】
本発明に係る封緘部材は、上記のように構成されている。そのため、受穴と挿し込み部との結合状態から、二つの片体を引き剥がすと、挿し込み部は支持されている破断連結部が千切られ、透孔部分から離脱して掛合爪に保持された状態のまま受穴内に残存する。従って、一旦開封すると、挿し込み部支持用の透孔が貫通状態となり、また、受穴内に挿し込み部が存在しているため再使用は不可能となる。
【００１０】
また、立壁（リブ）の存在によって、受穴と挿し込み部の結合状態を不正に操作することもできないものとされ、挿し込み部が受穴内に残存するため、その挿し込み部が周囲に落下散乱してしまうこともない。
【００１１】
さらに、単品ごとに個体を認識するナンバー等が付されるため、別物を使用することも不可能となり、加えて、操作が非常に行ない易く、ロック解除に専用の鍵や情報を必要とすることもない。
【図面の簡単な説明】
【００１２】
【図１】本発明を実施した封緘部材を示す斜視図である。
【図２】正面図である。
【図３】背面図である。
【図４】側面図である。
【図５】Ａ−Ａ線断面図である。
【図６】Ｌ−Ｌ線断面図である。
【図７】Ｂ−Ｂ線断面図である。
【図８】Ｃ−Ｃ線断面図である。
【図９】Ｍ−Ｍ線断面図である。
【図１０】Ｇ−Ｇ線断面図である。
【図１１】Ｈ−Ｈ線断面図である。
【図１２】Ｆ部分の拡大詳細図である。
【図１３】Ｉ部分の拡大詳細図である。
【図１４】使用時（ロック状態）の嵌合状態を示す斜視図である。
【図１５】使用後（ロック解除）の状態を示す斜視図である。
【図１６】使用後の受穴内に挿し込み部が残存した状態を示す図である。
【図１７】別の方向から見た斜視図である。
【図１８】挿し込み部が支持されていた透孔が開口した状態を示す斜視図である。
【発明を実施するための形態】
【００１３】
図面として示し、実施例で説明したように構成したことで実現した。
【実施例１】
【００１４】
次に、本発明の好ましい実施の一例を図面を参照して説明する。図中１は本発明を実施した封緘部材を示しており、本実施例にあって、この封緘部材１は全体をプラスチックによって成形されており、アッセンブリとして製造され、単品ごとに取り外され使用に供される。封緘部材１は第一の片体２と第二の片体３とを有し、その第一の片体２と第二の片体３が湾曲したヒンジ部４によって一体に連結されている。
【００１５】
前記した第一の片体２は第二の片体３と比して長さ及び幅が略２倍のものとなっており、その第一の片体２のヒンジ部４寄りには円形の透孔５が形成されており、その透孔５の内縁に９０度ピッチで破断用連結部６、６‥で一体的に連結された挿し込み部（ピン）７が設けられている。この挿し込み部７は略円柱状とされ、その先端寄りに段状とし、後述する掛合爪と掛合して結合ロック状態とするための掛合部７ａが形成されている。また、この掛合部７ａには前記した破断用連結部６、６‥と接続され、後述する掛合爪の間隔隙間に嵌入される補強リブ７ｂ、７ｂ‥が９０度ピッチで基端まで形成されている。
【００１６】
また、この挿し込み部７の周域には、ヒンジ部４方向を開放した平面的に半円状としたガード用の立壁（リブ）８が一体に形成されている。この立壁（リブ）８のヒンジ部４側が開放されているのは、ヒンジ部４を屈曲させ、挿し込み部７と後述する受穴を嵌合結合してロックする際に、ヒンジ部４の入り込むスペースのためであり、この立壁（リブ）８の存在によって前記した嵌合結合状態とした際に、挿し込み部７の切断、その他結合部分に対する不正な行為を未然に防止することができる。
【００１７】
さらに、この第一の片体２の外面には単品ごとの通しナンバーやＩＤナンバーがプリントあるいは刻設され、あるいはＩＣタグが埋設され、各々の封緘部材１を他と明瞭に区別し、付け替えることを防止し、安全性を確保している。
【００１８】
一方、第二の片体３のヒンジ部４寄りで、ヒンジ部４を屈曲させた際に、前記挿し込み部７と対応する位置には円筒状をした受穴９が一体に形成されている。尚、ヒンジ部４の受穴９側の端部は、その受穴９の外面と連なっている。
【００１９】
この受穴９の内側には９０度ピッチで掛合爪１０、１０‥が一体に形成されており、この掛合爪１０、１０‥は受穴９の内面中程に先端を位置させ、徐々に掛合爪１０、１０‥の先端間隔が小さく形成されている。そして、この掛合爪１０、１０‥が９０度ピッチで形成されるため、隣接する掛合爪１０、１０の間にはスリット１１、１１‥が形成され、このスリット１１、１１‥に前記した挿し込み部７の補強リブ７ｂ、７ｂ‥が嵌合され、位置ずれも防止される。
【００２０】
本実施例に係る封緘部材１は上記のように構成されており、次に、この封緘部材１の使用方法、作用を説明する。封緘部材１のヒンジ部４部分でロックしたいパーツ、例えばバッグのジッパー取手の透孔とショルダーベルトの支持金具とを併せた状態で包み込み、挿し込み部７を受穴９へ嵌合させる。この嵌合は、受穴９を挿し込み部７に被せる作業でも同様である。この作業によって挿し込み部７の先端は掛合爪１０、１０‥を拡開して圧入され、掛合爪１０、１０‥の先端と挿し込み部７の掛合部７ａが掛合し、ロック状態となる。この際、挿し込み部７の補強リブ７ｂは掛合爪１０、１０‥間のスリット１１、１１へ嵌合され、捩れを防止され、位置決めされる（図１４参照）。
【００２１】
このロック状態では立壁（リブ）８の存在によって結合部分へ不正な操作は行ないずらい状態となっている。
【００２２】
そして、このロック状態を解除するのは、第一の片体２と第二の片体３を引き剥がす作業によりなされる。この時に、第一の片体２のサイズが第二の片体３よりも大きくなっているため、指先での支持と加力が行ない易くなっている。
【００２３】
この引き剥がし作業によって、挿し込み部７の掛合部７ａは掛合爪１０、１０‥の先端に掛合された状態となっているので、引き剥がしの加力は挿し込み部７の補強リブ７ｂの基端と透孔５とをつなぐ破断用連結部６、６‥にかかり、この破断用連結部６、６‥を破断し、掛合爪１０、１０‥に挿し込み部７を保持したままの状態で解除される。即ち、掛合爪１０、１０‥に保持された挿し込み部７が受穴９内に残る状態となる。
【００２４】
かかるロックの解除状態では使用済の封緘部材１の再使用は不可能となり、また、挿し込み部７が周囲に落下して、その周囲を汚してしまうこともない。
【産業上の利用可能性】
【００２５】
本実施例に係る封緘部材１は上記のように構成され、作用する。本実施例では封緘部材１をプラスチックで成形することとしているが、これは金属をもって代替することも可能である。また、挿し込み部７を円柱、受穴を円筒状としてあるが、これにこだわらず断面四角、三角、五角、六角等々に代えることも可能である。
【００２６】
また、本実施例では第一の片体２に挿し込み部７を、第二の片体３に受穴９を構成することとしているが、第一の片体２に受穴９を、第二の片体３挿し込み部７を形成する構成とすることも勿論可能である。
【００２７】
さらに、使用対象も運搬するものに限らず、開閉扉、窓等に応用使用することも当然可能となる。
【符号の説明】
【００２８】
１    封緘部材
２    第一の片体
３    第二の片体
４    ヒンジ部
５    透孔
６    破断用連結部
７    挿し込み部
７ａ  掛合部
７ｂ  補強リブ
８    立壁（リブ）
９    受穴
１０  掛合爪
１１  スリット
【図１】
0006539049.tif 000002
【図２】
0006539049.tif 000003
【図３】
0006539049.tif 000004
【図４】
0006539049.tif 000005
【図５】
0006539049.tif 000006
【図６】
0006539049.tif 000007
【図７】
0006539049.tif 000008
【図８】
0006539049.tif 000009
【図９】
0006539049.tif 000010
【図１０】
0006539049.tif 000011
【図１１】
0006539049.tif 000012
【図１２】
0006539049.tif 000013
【図１３】
0006539049.tif 000014
【図１４】
0006539049.tif 000015
【図１５】
0006539049.tif 000016
【図１６】
0006539049.tif 000017
【図１７】
0006539049.tif 000018
【図１８】
0006539049.tif 000019